(57)【要約】  本発明は、スマートコンセントに接続された電子機器の種別を認識する方法および装置に関する。前記方法は、スマートコンセントに接続された目標電子機器が電源オン状態であるときの目標電源オン状態パラメータを取得するステップと、前記目標電源オン状態パラメータに基づいて前記目標電子機器の目標種別を認識するステップと、前記目標種別を出力するステップとを含む。本発明によれば、スマートコンセントと目標種別との対応関係を取得可能であり、ユーザが対応関係に基づいて目標電子機器に接続されたスマートコンセントを制御でき、目標電子機器とスマートコンセントとの対応関係が不明確であることによる、他の電子機器に対応するコンセントを誤って制御してしまうという事態を回避できる。
2018501670.tif 000002
【特許請求の範囲】
【請求項１】
スマートコンセントに接続された電子機器の種別を認識する方法であって、
前記スマートコンセントに接続された目標電子機器が電源オン状態であるときの目標電源オン状態パラメータを取得するステップと、
前記目標電源オン状態パラメータに基づいて前記目標電子機器の目標種別を認識するステップと、
前記目標種別を出力するステップと、を含むことを特徴とする方法。
【請求項２】
前記スマートコンセントに接続された目標電子機器が電源オン状態であるときの目標電源オン状態パラメータを取得するステップは、
前記スマートコンセントに接続された前記目標電子機器が電源オン状態であるときの、目標電力パラメータと、目標電源オン時間パラメータと、目標電源オン総時間パラメータと、電力安定パラメータと、のうちの少なくとも１つを取得することを特徴とする請求項１に記載の方法。
【請求項３】
前記スマートコンセントに接続された前記目標電子機器が電源オン状態であるときの前記電力安定パラメータを取得する際に、
前記スマートコンセントに接続された前記目標電子機器が電源オン状態であるときの前記目標電力パラメータを所定期間内で取得し、
前記目標電力パラメータに基づいて前記目標電子機器の前記電力安定パラメータを特定することを特徴とする請求項２に記載の方法。
【請求項４】
前記目標電源オン状態パラメータに基づいて前記目標電子機器の目標種別を認識するステップは、
目標対応関係表に基づいて、前記目標電源オン状態パラメータに対応する前記目標種別を特定し、
前記目標対応関係表には、電源オン状態パラメータと該当する電子機器の種別との対応関係が記録されていることを特徴とする請求項１に記載の方法。
【請求項５】
前記目標種別を出力するステップは、
前記目標種別を確認するよう指示するための通知情報を出力し、
前記通知情報に対する確認指令および変更指令を検出し、
前記確認指令が検出されたことに応答して、前記目標種別を出力し、
前記変更指令が検出されたことに応答して、変更後の目標種別を出力することを特徴とする請求項１に記載の方法。
【請求項６】
前記目標種別を出力するステップは、
前記スマートコンセントに設けられた出力部品を介して、前記目標種別を出力し、
前記出力部品の設置位置は、接続位置に対応し、前記接続位置は、前記スマートコンセントと前記目標電子機器との接続位置であることを特徴とする請求項１に記載の方法。
【請求項７】
前記目標種別を出力するステップは、
前記スマートコンセントの制御端末であるスマート端末を介して、前記目標種別を出力することを特徴とする請求項１に記載の方法。
【請求項８】
前記スマート端末を介して前記目標種別を出力する際に、
前記目標種別と前記スマートコンセントとの対応関係を出力するように前記スマート端末を制御することを特徴とする請求項７に記載の方法。
【請求項９】
前記目標種別と前記スマートコンセントとの前記対応関係を出力するように前記スマート端末を制御することは、
前記スマートコンセントに接続された前記電子機器の位置順に応じて前記目標種別を出力するように前記スマート端末を制御することと、
仮想コンセント画像の該当位置において前記目標種別を出力するように前記スマート端末を制御することと、
前記スマートコンセントに対応する名称の位置において前記目標種別を出力するように前記スマート端末を制御することと、のうちの少なくとも１つを含み、
前記仮想コンセント画像は、前記スマート端末が前記スマートコンセントに基づいて仮想化した画像であることを特徴とする請求項８に記載の方法。
【請求項１０】
スマートコンセントに接続された電子機器の種別を認識する装置であって、
前記スマートコンセントに接続された目標電子機器が電源オン状態であるときの目標電源オン状態パラメータを取得するように構成されるパラメータ取得手段と、
前記パラメータ取得手段によって取得された前記目標電源オン状態パラメータに基づいて、前記目標電子機器の目標種別を認識するように構成される種別認識手段と、
前記種別認識手段によって認識された前記目標種別を出力するように構成される種別出力手段と、を備えることを特徴とする装置。
【請求項１１】
前記パラメータ取得手段は、
前記スマートコンセントに接続された前記目標電子機器が電源オン状態であるときの、目標電力パラメータと、目標電源オン時間パラメータと、目標電源オン総時間パラメータと、電力安定パラメータと、のうちの少なくとも１つを取得するように構成されるパラメータ取得サブ手段を備えることを特徴とする請求項１０に記載の装置。
【請求項１２】
前記パラメータ取得サブ手段は、
前記スマートコンセントに接続された前記目標電子機器が電源オン状態であるときの前記目標電力パラメータを所定期間内で取得するように構成される電力パラメータ取得モジュールと、
前記電力パラメータ取得モジュールによって取得された前記目標電力パラメータに基づいて、前記目標電子機器の前記電力安定パラメータを特定するように構成される安定パラメータ特定モジュールと、を備えることを特徴とする請求項１１に記載の装置。
【請求項１３】
前記種別認識手段は、
目標対応関係表に基づいて、前記パラメータ取得手段によって取得された前記目標電源オン状態パラメータに対応する前記目標種別を特定するように構成される目標種別認識サブ手段を備え、
前記目標対応関係表には、電源オン状態パラメータと該当する電子機器の種別との対応関係が記録されていることを特徴とする請求項１０に記載の装置。
【請求項１４】
前記種別出力手段は、
前記種別認識手段によって認識された前記目標種別を確認するよう指示するための通知情報を出力するように構成される情報出力サブ手段と、
前記情報出力サブ手段から出力された前記通知情報に対する確認指令および変更指令を検出するように構成される指令検出サブ手段と、
前記確認指令が検出されたとき、前記目標種別を出力し、前記変更指令が検出されたとき、変更後の目標種別を出力するように構成される第１種別出力サブ手段と、を備えることを特徴とする請求項１０に記載の装置。
【請求項１５】
前記種別出力手段は、
前記スマートコンセントに設けられた出力部品を介して、前記種別認識手段によって認識された前記目標種別を出力するように構成される第２種別出力サブ手段を備え、
前記出力部品の設置位置は、接続位置に対応し、前記接続位置は、前記スマートコンセントと前記目標電子機器との接続位置であることを特徴とする請求項１０に記載の装置。
【請求項１６】
前記種別出力手段は、
前記スマートコンセントの制御端末であるスマート端末を介して、前記種別認識手段によって認識された前記目標種別を出力するように構成される第３種別出力サブ手段を備えることを特徴とする請求項１０に記載の装置。
【請求項１７】
前記第３種別出力サブ手段は、
前記目標種別と前記スマートコンセントとの対応関係を出力するように前記スマート端末を制御するように構成される対応関係出力モジュールを備えることを特徴とする請求項１６に記載の装置。
【請求項１８】
前記対応関係出力モジュールは、
前記スマートコンセントに接続された前記電子機器の位置順に応じて前記目標種別を出力するように前記スマート端末を制御するように構成される第１出力サブモジュールと、
仮想コンセント画像の該当位置において前記目標種別を出力するように前記スマート端末を制御するように構成される第２出力サブモジュールと、
前記スマートコンセントに対応する名称の位置において前記目標種別を出力するように前記スマート端末を制御するように構成される第３出力サブモジュールと、のうちの少なくとも１つを備え、
前記仮想コンセント画像は、前記スマート端末が前記スマートコンセントに基づいて仮想化した画像であることを特徴とする請求項１７に記載の装置。
【請求項１９】
スマートコンセントに接続された電子機器の種別を認識する装置であって、
プロセッサと、
前記プロセッサの実行可能な指令を記憶するためのメモリと、を備え、
前記プロセッサは、
前記スマートコンセントに接続された目標電子機器が電源オン状態であるときの目標電源オン状態パラメータを取得し、
前記目標電源オン状態パラメータに基づいて前記目標電子機器の目標種別を認識し、
前記目標種別を出力するように構成されることを特徴とする装置。
【発明の詳細な説明】
【技術分野】
【０００１】
（関連出願の相互参照）
本願は、出願番号が２０１５１０８６０２０９.Ｘであり、出願日が２０１５年１１月３０日である中国特許出願に基づいて優先権を主張する。当該中国特許出願の全ての内容は、ここに参考として引用される。
【０００２】
本発明は、スマートホーム分野に関し、特にスマートコンセントに接続された電子機器の種別を認識する方法および装置に関する。
【背景技術】
【０００３】
スマートホームの継続的な発展に伴い、多種の目標電子機器が、無線ネットワークにアクセス可能であり、そのパワーオン・オフを制御機器によって制御することができる。多種の目標電子機器に対してより正確なパワーオン・オフ制御を行うものとして、スマートコンセントが、簡単で実用的なスマートホーム機器として誕生した。スマートコンセントは、通信および処理能力をある程度持つことができる。スマートコンセントが無線ネットワークにアクセスされると、ユーザは、携帯電話等の制御機器を介して、スマートコンセントの電源オンおよび電源オフを遠隔制御することで、スマートコンセントに接続された目標電子機器の運転状態を制御することができる。しかし、電子機器の種類が非常に多いため、対応するスマートコンセントも多くなる。コンセントの電源オンおよび電源オフを制御する際、ユーザがスマートコンセントに対応する目標電子機器の種別を把握していないと、他の電子機器に対応するコンセントを誤って制御することが頻繁に発生し得る。
【発明の概要】
【０００４】
上記背景技術に存在する問題を解消すべく、本発明は、スマートコンセントに接続された電子機器の種別を認識する方法および装置を提供する。
【課題を解決するための手段】
【０００５】
本発明の実施例の第１態様によれば、スマートコンセントに接続された電子機器の種別を認識する方法を提供する。前記方法は、
前記スマートコンセントに接続された目標電子機器が電源オン状態であるときの目標電源オン状態パラメータを取得するステップと、
前記目標電源オン状態パラメータに基づいて前記目標電子機器の目標種別を認識するステップと、
前記目標種別を出力するステップとを含む。
【０００６】
好ましくは、前記スマートコンセントに接続された目標電子機器が電源オン状態であるときの目標電源オン状態パラメータを取得するステップは、
前記スマートコンセントに接続された前記目標電子機器が電源オン状態であるときの、目標電力パラメータと、目標電源オン時間パラメータと、目標電源オン総時間パラメータと、電力安定パラメータと、のうちの少なくとも１つを取得する。
【０００７】
好ましくは、前記スマートコンセントに接続された前記目標電子機器が電源オン状態であるときの前記電力安定パラメータを取得する際に、
前記スマートコンセントに接続された前記目標電子機器が電源オン状態であるときの前記目標電力パラメータを所定期間内で取得し、
前記目標電力パラメータに基づいて前記目標電子機器の前記電力安定パラメータを特定する。
【０００８】
好ましくは、前記目標電源オン状態パラメータに基づいて前記目標電子機器の目標種別を認識するステップは、
目標対応関係表に基づいて、前記目標電源オン状態パラメータに対応する前記目標種別を特定し、
前記目標対応関係表には、電源オン状態パラメータと該当する電子機器の種別との対応関係が記録されている。
【０００９】
好ましくは、前記目標種別を出力するステップは、
前記目標種別を確認するよう指示するための通知情報を出力し、
前記通知情報に対する確認指令および変更指令を検出し、
前記確認指令が検出されたことに応答して、前記目標種別を出力し、
前記変更指令が検出されたことに応答して、変更後の目標種別を出力する。
【００１０】
好ましくは、前記目標種別を出力するステップは、
前記スマートコンセントに設けられた出力部品を介して、前記目標種別を出力し、
前記出力部品の設置位置は、接続位置に対応し、前記接続位置は、前記スマートコンセントと前記目標電子機器との接続位置である。
【００１１】
好ましくは、前記目標種別を出力するステップは、
前記スマートコンセントの制御端末であるスマート端末を介して、前記目標種別を出力する。
【００１２】
好ましくは、前記スマート端末を介して前記目標種別を出力する際に、
前記目標種別と前記スマートコンセントとの対応関係を出力するように前記スマート端末を制御する。
【００１３】
好ましくは、前記目標種別と前記スマートコンセントとの対応関係を出力するように前記スマート端末を制御することは、
前記スマートコンセントに接続された電子機器の位置順に応じて前記目標種別を出力するように前記スマート端末を制御することと、
仮想コンセント画像の該当位置において前記目標種別を出力するように前記スマート端末を制御することと、
前記スマートコンセントに対応する名称の位置において前記目標種別を出力するように前記スマート端末を制御することと、のうちの少なくとも１つを含み、
前記仮想コンセント画像は、前記スマート端末が前記スマートコンセントに基づいて仮想化した画像である。
【００１４】
本発明の実施例の第２態様によれば、スマートコンセントに接続された電子機器の種別を認識する装置を提供する。前記装置は、
前記スマートコンセントに接続された目標電子機器が電源オン状態であるときの目標電源オン状態パラメータを取得するように構成されるパラメータ取得手段と、
前記パラメータ取得手段によって取得された前記目標電源オン状態パラメータに基づいて前記目標電子機器の目標種別を認識するように構成される種別認識手段と、
前記種別認識手段によって認識された前記目標種別を出力するように構成される種別出力手段と、を備える。
【００１５】
好ましくは、前記パラメータ取得手段は、
前記スマートコンセントに接続された前記目標電子機器が電源オン状態であるときの、目標電力パラメータと、目標電源オン時間パラメータと、目標電源オン総時間パラメータと、電力安定パラメータと、のうちの少なくとも１つを取得するように構成されるパラメータ取得サブ手段を備える。
【００１６】
好ましくは、前記パラメータ取得サブ手段は、
前記スマートコンセントに接続された前記目標電子機器が電源オン状態であるときの前記目標電力パラメータを所定期間内で取得するように構成される電力パラメータ取得モジュールと、
前記電力パラメータ取得モジュールによって取得された前記目標電力パラメータに基づいて前記目標電子機器の前記電力安定パラメータを特定するように構成される安定パラメータ特定モジュールと、を備える。
【００１７】
好ましくは、前記種別認識手段は、
目標対応関係表に基づいて、前記パラメータ取得手段によって取得された前記目標電源オン状態パラメータに対応する前記目標種別を特定するように構成される目標種別認識サブ手段を備え、前記目標対応関係表には、電源オン状態パラメータと該当する電子機器の種別との対応関係が記録されている。
【００１８】
好ましくは、前記種別出力手段は、
前記種別認識手段によって認識された前記目標種別を確認するよう指示するための通知情報を出力するように構成される情報出力サブ手段と、
前記情報出力サブ手段から出力された前記通知情報に対する確認指令および変更指令を検出するように構成される指令検出サブ手段と、
前記確認指令が検出されたとき、前記目標種別を出力し、前記変更指令が検出されたとき、変更後の目標種別を出力するように構成される第１種別出力サブ手段とを備える。
【００１９】
好ましくは、前記種別出力手段は、
前記スマートコンセントに設けられた出力部品を介して、前記種別認識手段によって認識された前記目標種別を出力するように構成される第２種別出力サブ手段を備え、
前記出力部品の設置位置は、接続位置に対応し、前記接続位置は、前記スマートコンセントと前記目標電子機器との接続位置である。
【００２０】
好ましくは、前記種別出力手段は、
前記スマートコンセントの制御端末であるスマート端末を介して、前記種別認識手段によって認識された前記目標種別を出力するように構成される第３種別出力サブ手段を備える。
【００２１】
好ましくは、前記第３種別出力サブ手段は、
前記目標種別と前記スマートコンセントとの対応関係を出力するように前記スマート端末を制御するように構成される対応関係出力モジュールを備える。
【００２２】
好ましくは、前記対応関係出力モジュールは、
前記スマートコンセントに接続された電子機器の位置順に応じて前記目標種別を出力するように前記スマート端末を制御するように構成される第１出力サブモジュールと、
仮想コンセント画像の該当位置において前記目標種別を出力するように前記スマート端末を制御するように構成される第２出力サブモジュールと、
前記スマートコンセントに対応する名称の位置において前記目標種別を出力するように前記スマート端末を制御するように構成される第３出力サブモジュールとのうちの少なくとも１つを備え、
前記仮想コンセント画像は、前記スマート端末が前記スマートコンセントに基づいて仮想化した画像である。
【００２３】
本発明の実施例の第３態様によれば、スマートコンセントに接続された電子機器の種別を認識する装置を提供する。前記装置は、
プロセッサと、
前記プロセッサの実行可能な指令を記憶するためのメモリとを備え、
前記プロセッサは、
前記スマートコンセントに接続された目標電子機器が電源オン状態であるときの目標電源オン状態パラメータを取得し、
前記目標電源オン状態パラメータに基づいて前記目標電子機器の目標種別を認識し、
前記目標種別を出力するように構成される。
【発明の効果】
【００２４】
本発明の実施例による上記解決手段は、以下の効果を奏することができる。
【００２５】
本発明によれば、スマートコンセントに接続された目標電子機器が電源オン状態であるときの目標電源オン状態パラメータを取得し、目標電源オン状態パラメータに基づいて目標電子機器の目標種別を認識してから、目標種別を出力することで、ユーザは出力された目標種別情報に基づいてスマートコンセントと目標電子機器種別との対応関係を取得できると共に、対応関係に基づいて目標電子機器に接続されたスマートコンセントを制御できる。これにより、目標電子機器とスマートコンセントとの対応関係の不明確であることによる、他の電子機器に対応するコンセントを誤って制御するという事態を回避できる。
【００２６】
本発明では、目標電源オン状態パラメータが目標電力パラメータ、目標電源オン時間パラメータ、目標電源オン総時間パラメータ、および、電力安定パラメータのうちの１つまたは複数のパラメータであってもよく、異なる目標電源オン状態パラメータに基づいて、スマートコンセントに対応する目標電子機器の目標種別を自動的に認識可能であり、目標電子機器に対する認識を実現させ、複数のパラメータを組み合わせて認識を行う際に、認識の正確性が向上する。
【００２７】
本発明では、スマートコンセントに接続された目標電子機器が電源オン状態であるときの目標電力パラメータを所定期間で取得し、目標電力パラメータに基づいて目標電子機器の電力安定パラメータを特定することで、電力安定パラメータを特定するため、実現が容易である。
【００２８】
本発明では、予め設定された、電源オン状態パラメータと該当電子機器種別との対応関係に基づいて、目標電源オン状態パラメータに対応する目標種別を特定可能であるため、実現が容易である。
【００２９】
本発明では、人・マシン相互作用の形式でスマートコンセントに対応する目標電子機器の目標種別をさらに確認でき、認識の正確性が向上し、目標種別を自動的に認識する際にエラーが出現する状況が回避できる。
【００３０】
本発明では、出力部品の設置位置と接続位置とは一対一で対応するため、スマートコンセントの出力部品を介して目標種別を出力することで、目標種別とスマートコンセントのジャックとの対応関係をはっきりと示すことができ、ユーザがスマートコンセントを便利に操作することができる。
【００３１】
本発明では、スマート端末が目標種別とスマートコンセントとの対応関係を出力することで、目標種別とスマートコンセントのジャックとの対応関係がはっきりと示され、ユーザはスマート端末を介してスマートコンセントを便利に制御できる。
【００３２】
本発明では、スマート端末がスマートコンセントでの電子機器の位置順に応じて目標種別を出力することで、ジャックと目標種別との対応関係を取得可能であり、ユーザは対応関係に基づいて目標電子機器に接続されたスマートコンセントを制御でき、１つのマルチタップに複数の目標電子機器を接続する際も目標電子機器のプラグが区別できないことが回避できる。
【００３３】
本発明では、スマート端末が仮想コンセント画像の該当位置において目標種別を出力するため、目標種別とスマートコンセントのジャックとの対応関係がはっきりと示されており、ユーザはスマート端末を介してスマートコンセントを便利に制御できる。
【００３４】
本発明では、スマートコンセントに接続された目標電子機器の種別を認識した後、スマート端末がスマートコンセントに対応する名称の位置において目標種別を自動的に出力することで、スマートコンセントに対するネーミングを実現させ、ネーミング効率が向上するとともに、ユーザが名称に応じて異なるスマートコンセントに接続された異なる電子機器を容易に区別できる。
【００３５】
以上の一般的な記述および後述する詳細な説明は、例示的や解釈的なものであり、本発明を制限するためのものでないことは、当然である。
【図面の簡単な説明】
【００３６】
ここでの図面は、明細書を構成する一部として見なされ、本発明に適した実施例を示し、かつ、明細書の記載とともに本発明の仕組みを解釈するために用いられる。
【図１Ａ】本発明のある実施例によるスマートコンセントに接続された電子機器の種別を認識する方法を示すフローチャートである。
【図１Ｂ】本発明のある実施例によるスマートコンセントに接続された電子機器の種別を認識する方法を示す応用シーングラフである。
【図１Ｃ】本発明のある実施例によるスマート端末において目標種別を出力する模式図である。
【図１Ｄ】本発明のある実施例によるスマート端末において目標種別を出力する別の模式図である。
【図１Ｅ】本発明のある実施例によるスマートコンセントにおいて目標種別を出力する模式図である。
【図１Ｆ】本発明のある実施例によるディスプレイ・インターフェース模式図である。
【図２】本発明のある実施例によるスマートコンセントに接続された電子機器の種別を認識する装置を示すブロック図である。
【図３】本発明のある実施例によるスマートコンセントに接続された電子機器の種別を認識する別の装置を示すブロック図である。
【図４】本発明のある実施例によるスマートコンセントに接続された電子機器の種別を認識する別の装置を示すブロック図である。
【図５】本発明のある実施例によるスマートコンセントに接続された電子機器の種別を認識する別の装置を示すブロック図である。
【図６】本発明のある実施例によるスマートコンセントに接続された電子機器の種別を認識する別の装置を示すブロック図である。
【図７】本発明のある実施例によるスマートコンセントに接続された電子機器の種別を認識する別の装置を示すブロック図である。
【図８】本発明のある実施例によるスマートコンセントに接続された電子機器の種別を認識する別の装置を示すブロック図である。
【図９】本発明のある実施例によるスマートコンセントに接続された電子機器の種別を認識する別の装置を示すブロック図である。
【図１０】本発明のある実施例によるスマートコンセントに接続された電子機器の種別を認識する別の装置を示すブロック図である。
【図１１】ある実施例によるスマートコンセントに接続された電子機器の種別を認識する装置を示すブロック図である。
【図１２】ある実施例によるスマートコンセントに接続された電子機器の種別を認識する別の装置を示すブロック図である。
【発明を実施するための形態】
【００３７】
次に、図面を参照しながら、実施例について詳細に説明する。なお、本明細書中で特に説明のない限り、異なる図面における同じ符号は、同じまたは類似する要素を示す。以下の実施例に記述される実施形態は、本発明と一致する全ての実施形態を代表するものではない。逆に、それらは、添付の特許請求の範囲に記載されているように、本発明の一部の態様と一致する装置および方法の例に過ぎない。
【００３８】
本発明に記載の用語は、特定の実施例を説明する目的で使用されるものに過ぎず、本発明を限定するものではない。本発明および添付する特許請求の範囲に記載の単数形式の「１種類」、「前記」および「当該」は、前後の文章においてそれぞれ他の意味を含有すると明確に記載される以外には、複数の形式も含む。なお、本発明に記載の「および／または」は、挙げられる事項の１つまたは複数の何れまたは全ての組み合わせを意味する。
【００３９】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使う用語「……場合」は、文脈の意味によって、「……とき」または「……と」または「判断に応じて」と解釈されてもよい。
【００４０】
図１Ａに示すように、図１Ａは、本発明のある実施例によるスマートコンセントに接続された電子機器の種別を認識する方法を示すフローチャートであり、以下のステップを含む。
【００４１】
ステップ１０１では、スマートコンセントに接続された目標電子機器が電源オン状態であるときの目標電源オン状態パラメータを取得する。
【００４２】
ステップ１０２では、前記目標電源オン状態パラメータに基づいて前記目標電子機器の目標種別を認識する。
【００４３】
ステップ１０３では、前記目標種別を出力する。
【００４４】
本実施例では、スマートコンセントに接続された目標電子機器が電源オン状態であるときの目標電源オン状態パラメータを取得し、目標電源オン状態パラメータに基づいて目標電子機器の目標種別を認識してから、目標種別を出力することで、ユーザが出力された目標種別情報に基づいてスマートコンセントと目標電子機器種別との対応関係を取得でき、ユーザが対応関係に基づいて目標電子機器に接続されたスマートコンセントを制御でき、目標電子機器とスマートコンセントとの対応関係が不明瞭であることによる、他の電子機器に対応するコンセントを誤って制御するという事態を回避できる。
【００４５】
本発明に係るスマートコンセントは、無線通信モジュールを有さないものであってもよいし、無線通信モジュールを有するものであってもよい。コンセントは、１つまたは複数の、電線を挿入させ得るソケットであり、１つまたは複数のジャックを含む。各ジャックは、異なる目標電子機器のプラグに接続可能であり、目標電子機器との電気的な接続を実現する。スマートコンセントが無線通信モジュールを有する場合、スマートコンセントは、スマート端末と通信可能であり、スマート端末は、スマートコンセントの電源オンおよび電源オフを遠隔制御できる。本発明に係るスマート端末は、スマートフォン、タブレットＰＣ、ＰＤＡ（Ｐｅｒｓｏｎａｌ Ｄｉｇｉｔａｌ Ａｓｓｉｓｔａｎｔ、パーソナルデジタルアシスタント）、スマートブレスレット、電子書籍リーダー等であってもよい。
【００４６】
その中、スマートコンセントとスマート端末とは、直接通信してもよい。例えば、スマートコンセントは、アクセスポイントを提供し、スマート端末は、アクセスポイントをサーチしてスマートコンセントを接続する。また、例えば、スマート端末は、アクセスポイントを提供し、スマートコンセントはアクセスポイントを探索してスマート端末を接続する。スマートコンセントは、さらに、サーバを介してスマート端末と通信することができる。スマートコンセントは、情報をサーバへ伝送し、サーバは、情報をスマート端末へプッシュして出力させる。図１Ｂに示すように、図１Ｂは、本発明のある実施例におけるスマートコンセントに接続された電子機器の種別を認識する方法を示す応用シーンの概要図である。当該シーンでは、サーバは、クラウドサーバであってもよい。スマートコンセントが目標電源オン状態パラメータをクラウドサーバへ伝送し、クラウドサーバが目標電源オン状態パラメータに基づいて目標種別を各スマート端末へプッシュして、スマート端末に前記目標種別を出力させる。スマート端末は、スマートフォン、スマートブレスレット等であってもよい。
【００４７】
スマート端末がサーバを介してスマートコンセントに接続されたシーンにおいて、本発明の方法は、サーバに適用可能である。
【００４８】
一方で、サーバは、スマートコンセントに接続された目標電子機器が電源オン状態であるときの目標電源オン状態パラメータを取得し、前記目標電源オン状態パラメータに基づいて前記目標電子機器の目標種別を認識し、前記目標種別と前記スマートコンセントとの対応関係をスマート端末へ伝送することで、スマート端末が前記目標種別と前記スマートコンセントとの対応関係を出力するように制御する。前記スマート端末は、前記スマートコンセントの制御端末である。
【００４９】
当該実施例では、サーバがスマートコンセント上の目標電子機器を認識し、スマートコンセントに接続された目標電子機器の目標種別を特定してから、目標種別とスマートコンセントとの対応関係を各スマート端末へプッシュし、スマート端末が目標種別とスマートコンセントとの対応関係を出力するように制御可能であるため、ユーザが対応関係に基づいてスマート端末を介してスマートコンセントの開閉状態を便利に制御し、さらに目標電子機器の電源オン状態を制御する。特にスマート端末が多くて、スマートコンセントも多い場合、サーバが各スマートコンセント上の目標電子機器を統一的に認識し、認識結果を各スマート端末へプッシュして表示させることができる。これにより、統一された認識結果が得られると共に、資源が節約され、また、実現も容易にできる。
【００５０】
ただし、サーバが、目標種別とスマートコンセントとの対応関係を出力するようにスマート端末を制御する方式は、たくさんある。本発明は、その中の幾つかの方式を挙げて説明する。
【００５１】
第１の方式では、スマートコンセント上に複数のジャックがある場合、サーバは、スマートコンセントでの電子機器の位置順に応じて目標種別を出力するようにスマート端末を制御することができる。ただし、スマートコンセント上に電子機器が接続されていないジャックが存在するとき、「ヌル」情報を出力してもよい。図１Ｃは、本発明のある実施例によるスマート端末において目標種別を出力する模式図である。本例示では、スマートコンセントでの電子機器の位置順に応じて、「携帯電話、ヌル、コンピュータ、ヌル、扇風機、テレビ」を出力する。
【００５２】
ただし、コンセントは、独立に制御されるジャックを複数含んでいてもよい。つまり、各ジャックの開閉を独立に制御することができる。
【００５３】
本実施例では、サーバが、スマートコンセントでの電子機器の位置順に応じて目標種別を出力するようにスマート端末を制御することで、ジャックと目標種別との対応関係を取得可能であり、ユーザは対応関係に基づいて目標電子機器に接続されたスマートコンセントを制御でき、１つのマルチタップに複数の目標電子機器を接続する際に目標電子機器のプラグが区別できないという事態を回避できる。
【００５４】
第２の方式では、サーバが、仮想コンセント画像の該当位置において前記目標種別を出力するようにスマート端末を制御可能である。ここで、前記仮想コンセント画像は、前記スマート端末が前記スマートコンセントに基づいて仮想化した画像である。
【００５５】
ただし、対応位置について、スマートコンセントが複数のジャックを含む場合、対応位置はジャックと一対一で対応する位置であってもよく、対応位置に応じて異なるジャックを区分してもよい。例えば、対応位置は、ジャックの上方であってもよい。スマートコンセントが１つのジャックのみを有する場合、対応位置はスマートコンセントと一対一で対応する位置であってもよく、対応位置に応じて異なるスマートコンセントを区分してもよい。図１Ｄに示すように、図１Ｄは、本発明のある実施例によるスマート端末において、目標種別を出力する別の模式図である。当該例示では、仮想のジャックの上方に対応する目標種別、例えば「コンピュータ」、「扇風機」および「携帯電話」を表示する。ただし、説明の便宜上、図１Ｄに、スマートコンセントに接続された電子機器のプラグは図示されていない。
【００５６】
上記実施例から分かるように、各ジャックに接続された電子機器の種別を明確に認識できる。
【００５７】
第３の方式では、サーバは、前記スマートコンセントに対応する名称の位置において前記目標種別を出力するようにスマート端末を制御することができる。
【００５８】
ただし、スマートコンセントは、１つのジャックのみを有するコンセントであってもよい。
【００５９】
上記背景技術では、ユーザが需要に応じて各スマートコンセントに対して手動でネーミングすることができる。ネーミング方式は、順に「１番コンセント」、「２番コンセント」、「３番コンセント」等とネーミングしてもよいし、または、接続されている電子機器をチェックして、電子機器に応じてネーミングしてもよい。
【００６０】
本発明では、スマートコンセントに接続された目標電子機器の種別を認識した後、スマート端末がスマートコンセントに対応する名称の位置において目標種別を自動的に出力することで、より効率的にスマートコンセントに対するネーミングを実現できる。また、ユーザは名称に基づき、異なるスマートコンセントに接続された異なる電子機器を容易に区別できる。
【００６１】
なお、スマートコンセントが目標種別を出力する方式は上記幾つかの出力方式に限定されず、目標種別とスマートコンセントとの対応関係を表せる他の出力方式も、本発明の保護範囲内であることは、理解されるべきであり、詳細な説明は省略する。
【００６２】
一方、サーバは、スマートコンセントに接続された目標電子機器が電源オン状態であるときの目標電源オン状態パラメータを取得し、前記目標電源オン状態パラメータに基づいて前記目標電子機器の目標種別を認識し、前記目標種別と前記スマートコンセントとの対応関係をスマートコンセントへ伝送することで、スマートコンセントに設けられた出力部品を介して、前記目標種別を出力する。前記出力部品の設置位置は、接続位置に対応し、前記接続位置は、前記スマートコンセントと前記目標電子機器との接続位置である。
【００６３】
ここで、出力部品の設置位置と前記接続位置とは一対一で対応しているため、スマートコンセントに接続された異なる目標電子機器を出力部品を介して区別することができる。図１Ｅに示すように、図１Ｅは、本発明のある実施例によるスマートコンセントにおいて、目標種別を出力する手法を示す模式図である。当該例示では、出力部品を介して「コンピュータ」、「扇風機」および「携帯電話」をといった種別を出力する。ただし、説明の便宜上、図１Ｅは、電子機器のプラグを図示しない。
【００６４】
スマート端末がスマートコンセントと近距離伝送を行うシーンでも、スマート端末がサーバを介してスマートコンセントと遠距離伝送を行うシーンても、本発明の方法はスマート端末に適用可能であり、スマート端末は、スマートコンセントに接続された目標電子機器が電源オン状態であるときの目標電源オン状態パラメータを取得することができ、前記目標電源オン状態パラメータに基づいて前記目標電子機器の目標種別を認識し、前記目標種別を出力する。
【００６５】
ただし、スマートコンセントは、スマート端末に関連するコンセントである。つまり、スマート端末とスマートコンセントとは、結合関係を有する。スマート端末は、スマートコンセントを制御することができる。スマート端末が目標種別を直接出力する方式は、上記サーバが目標種別を出力するようにスマート端末を制御する方式に類似するため、ここでは詳細な説明を省略する。
【００６６】
当該実施例では、スマート端末がスマートコンセント上の目標電子機器の種別を認識し、スマートコンセントに接続された目標電子機器の目標種別を特定し、スマートコンセントと目標電子機器との対応関係を出力可能であるため、ユーザがスマートコンセントと目標電子機器との対応関係に基づいて、スマート端末を介してスマートコンセントのオン・オフ状態を容易に制御でき、よって、目標電子機器の電源オン・オフ状態を制御できる。特にスマートコンセントが多い場合、スマート端末が各スマートコンセントに接続された目標電子機器の種別を全体的に認識できるため、統括的な認識が可能であり、実現も容易である。
【００６７】
スマート端末がスマートコンセントと近距離伝送を行うシーンでも、スマート端末がサーバを介してスマートコンセントと遠距離伝送を行うシーンでも、通信モジュールを有さないスマートコンセントシーンでも、本発明の方法は、処理機能を有するスマートコンセントに適用可能であり、スマート端末は、スマートコンセントに接続された目標電子機器が電源オン状態であるときの目標電源オン状態パラメータを取得することができ、前記目標電源オン状態パラメータに基づいて前記目標電子機器の目標種別を認識し、前記目標種別を出力する。
【００６８】
一方で、スマートコンセントに設けられた出力部品を介して目標種別を出力してもよい。出力部品の設置位置は、接続位置に対応し、接続位置は、スマートコンセントと目標電子機器との接続位置である。
【００６９】
本実施例では、当該目標電子機器の種別をスマートコンセント上に表示して、ユーザに対し、コンセントに挿入された目標電子機器を通知する。特にコンセントが複数のジャックを有する場合、各ジャックに対応する目標電子機器の識別子を特定することにより、ユーザは異なるジャックに対応する異なる目標電子機器を容易に区別でき、目標電子機器のプラグが似ている場合でも、目標電子機器に対応するものでないジャックを誤って操作することを回避できる。
【００７０】
他方で、スマートコンセントは、接続された目標電子機器の種別認識を行い、スマートコンセントに接続された目標電子機器の目標種別を特定し、そしてスマートコンセントと目標種別との対応関係を各スマート端末へプッシュすることで、スマート端末を介してスマートコンセントと目標種別との対応関係を出力できる。これにより、ユーザは対応関係に基づいてスマート端末を介してスマートコンセントのオン・オフ状態を容易に制御でき、よって目標電子機器の電源オン・オフ状態を制御できる。特にスマート端末が多く、スマートコンセントが少ない場合、スマートコンセントは、接続された目標電子機器を認識し、その認識結果を各スマート端末へプッシュする。これにより、資源を節約できる。
【００７１】
ステップ１０１乃至ステップ１０３について、以下に例を挙げて説明する。
【００７２】
ステップ１０１において、スマートコンセントに接続された目標電子機器は、スマートコンセントのジャックに差し込まれた電子機器である。目標電子機器が電源オン状態であるとき、目標電源オン状態パラメータが生成される。例えば、目標電源オン状態パラメータは、目標電力パラメータ、目標電源オン時間パラメータ、目標電源オン総時間パラメータ、電力安定パラメータのうちの一種または多種のパラメータであってもよい。
【００７３】
なお、本発明における目標電源オン状態パラメータは電源オン状態パラメータであり、後述する関係表に示す電源オン状態パラメータと区別するために、目標電源オン状態パラメータと名づける。
【００７４】
ここで、目標電力は、目標電子機器が電源オン状態であるときの電力である。スマートコンセントには、スマートコンセントに差し込まれた目標電子機器の電力使用状況を測定する電力計を内蔵してもよい。一方、スマートコンセントは、取得された電力に基づいて、直接スマートコンセントに対応する目標電子機器の目標種別を認識することができる。他方、サーバあるいはスマート端末は、スマートコンセントの電力計から、スマートコンセントに接続された目標電子機器が電源オン状態であるときの電力を取得し、目標電源オン状態パラメータに基づいてスマートコンセントに対応する目標電子機器の目標種別を認識してもよい。
【００７５】
なお、目標電源オン時間は、目標電子機器の電源オン開始時刻あるいは電源オン期間であってもよい。スマートコンセントにタイマーを内蔵してもよい。
【００７６】
ある好適な実現形態では、スマートコンセント上の目標電子機器の電源投入時に電源オン開始時刻を記録してもよい。一方、スマートコンセントは、取得された電源オン開始時刻に基づいてスマートコンセント上の目標電子機器の種別認識を行う。他方、サーバあるいはスマート端末が開始時刻に基づいてスマートコンセント上の目標電子機器の種別認識を行うように、当該開始時刻をサーバあるいはスマート端末へ送信してもよい。
【００７７】
別の好適な実現形態では、スマートコンセント上の目標電子機器のに電源が投入されている間、電源オン開始時刻および終了時刻を記録して、電源オン期間を取得してもよい。一方、スマートコンセントは、取得された電源オン時間帯に基づいてスマートコンセント上の目標電子機器の種別認識を行う。他方、サーバあるいはスマート端末が電源オン期間に基づいてスマートコンセント上の目標電子機器の種別認識を行うように、当該電源オン期間をサーバあるいはスマート端末へ送信してもよい。
【００７８】
また、サーバあるいはスマート端末にタイマーを内蔵してもよい。スマートコンセント上の目標電子機器への電源投入時、電源オンメッセージをサーバあるいはスマート端末へ送信する。サーバあるいはスマート端末は、電源オンメッセージを受信した時刻に基づいて目標電子機器の電源オン開始時刻を特定する。また、スマートコンセント上の目標電子機器の電源切断時、電源オフメッセージをサーバあるいはスマート端末へ送信する。サーバあるいはスマート端末は、電源オフメッセージを受信した時刻に基づいて目標電子機器の電源オン終了時刻を特定する。これにより、電源オン開始時刻あるいは電源オン期間を取得できる。
【００７９】
電力安定パラメータについて、スマートコンセントに接続された目標電子機器が電源オン状態であるときの目標電力パラメータを所定期間内で取得し、前記目標電力パラメータに基づいて前記目標電子機器の電力安定パラメータを特定してもよい。
【００８０】
ステップ１０２に関し、本発明における目標種別は目標電子機器の種別であり、後述する関係表における種別と区別するために、目標種別と名づける。目標種別は、目標電子機器のタイプであってもよい。つまり、目標電子機器に対する分類、例えば、冷蔵庫類、テレビ類、コンピュータ類等であってもよい。
【００８１】
本ステップでは、電源オン状態パラメータと該当電子機器種別との対応関係を予め確立し、電源オン状態パラメータと該当電子機器種別との対応関係を記録した目標対応関係表を生成してもよい。目標電源オン状態パラメータを取得した後、目標対応関係表に基づいて、目標電源オン状態パラメータに対応する目標種別を特定する。
【００８２】
本実施例では、予め設定された電源オン状態パラメータと該当電子機器種別との対応関係に基づいて目標電源オン状態パラメータに対応する目標種別を特定するため、実現が容易である。
【００８３】
以下は、目標種別を特定する方式を幾つか挙げる。
【００８４】
第１の方式では、第１関係表に基づいて目標電力パラメータに対応する目標種別を特定する。前記第１関係表には、電力パラメータと該当電子機器種別との対応関係が記録されている。
【００８５】
当該方式において、目標電源オン状態パラメータが目標電力パラメータであり、第１関係表は予め設定しておくことができる。第１関係表には、異なる電力パラメータと該当電子機器種別との対応関係が記録されている。電力パラメータは、具体的な電力値であってもよいし、電力範囲であってもよい。それぞれの電力値あるいは電力範囲が電子機器種別に対応し、電力パラメータと該当電子機器種別との対応関係を取得できる。目標電力パラメータを取得した後、目標電力パラメータが、第１関係表におけるある電力値に一致するか否か、あるいはある電力範囲内にあるか否かを判断する。肯定される場合、当該電力値あるいは電力範囲に対応する電子機器種別を検索し、当該電子機器種別を目標電子機器の目標種別として特定する。
【００８６】
上記実施例から分かるように、本実施例は、異なる目標電子機器では電力が異なるという特徴を利用して目標電子機器を認識するものであるため、実現が容易である。
【００８７】
第２の方式では、スマートコンセントに接続された目標電子機器が電源オン状態であるときの目標電力パラメータを所定期間内に取得し、前記目標電力パラメータに基づいて前記目標電子機器の電力安定パラメータを特定し、第２関係表に基づいて前記電力安定パラメータに対応する目標種別を特定する。前記第２関係表には、電力安定パラメータと該当電子機器種別との対応関係が記録されている。
【００８８】
なお、電力安定パラメータは、目標電子機器の電力安定状態を示すパラメータである。電力安定パラメータは、状態識別子（例えば、１が安定状態を示し、０が不安定状態を示す）や、目標電力パラメータを含んでもよい。
【００８９】
当該方式において、目標電源オン状態パラメータが目標電力パラメータであり、所定期間は予め設定された時間、例えば、５分、１０分に設定される。所定期間内での目標電力パラメータの変化状況に基づいて、目標電力が安定しているか否かを判断することもできる。もし目標電力が一定である場合、目標電力が安定であると判断し、目標電力が変化した場合、目標電力が不安定であると判断する。例えば、ホーム機器のうち、エアコン等の目標電子機器にあっては、運転中に電力が頻繁に変化することがある。
【００９０】
上記実施例から分かるように、本実施例では、異なる目標電子機器では電力が異なるという特徴を利用して目標電子機器を認識できるだけでなく、異なる目標電子機器では、電力安定状態が異なる可能性があるという特徴も利用して目標電子機器を認識する。このため、認識精度が向上する。特に異なる目標電子機器において、電力は同じであるが電力安定状態が異なる状況について、予め設定された第２関係表に基づいて電力安定パラメータに対応する目標種別を特定することができる。
【００９１】
第３の方式では、予め設定された電源オン時間パラメータと該当電子機器種別との対応関係に基づいて、目標電源オン時間パラメータに対応する目標種別を特定する。
【００９２】
なお、目標電源オン状態パラメータは、目標電源オン時間パラメータである。目標電源オン時間パラメータは、目標電子機器の電源オン開始時刻または電源オン期間であってもよい。ホーム機器のうち、異なる目標電子機器では電源オン時間パラメータが異なる可能性がある。例えば、目標電源オン時間パラメータが電源オン時間帯である場合、台所換気扇の予め設定された電源オン時間帯は、７:００〜８:００、１１:００〜１２:００、１７:３０〜１８:３０等であり、ライトの電源オン時間帯は、１８:００〜２４:００等である。具体的な時間は、ユーザの需要に応じて設定することができる。取得された目標電源オン時間パラメータが予め設定された電源オン時間帯内であるか否かを判断することで、対応する目標電子機器の目標種別を特定することができる。なお、目標電源オン時間パラメータが電源オン開始時刻である場合、台所換気扇の予め設定された電源オン開始時刻は、７:００〜７:３０、１１:００〜１１:３０、１７:３０〜１７:００等であってもよい。このように、取得された目標電源オン時間パラメータが予め設定された電源オン開始時刻内であるか否かを判断することで、対応する目標電子機器の目標種別を特定することができる。
【００９３】
上記実施例から分かるように、異なる目標電子機器では目標電源オン時間パラメータが異なる可能性があるため、目標電源オン時間パラメータに基づいてスマートコンセントに接続された目標電子機器の目標種別を特定することができ、実現が容易である。
【００９４】
第４の方式では、予め設定された電源オン総時間パラメータと該当電子機器種別との対応関係に基づいて、目標電源オン総時間パラメータに対応する目標種別を特定する。
【００９５】
なお、目標電源オン状態パラメータは、目標電源オン総時間パラメータである。目標電源オン総時間パラメータは、目標電子機器電源オン時間の合計時間である。ホーム機器のうち、異なる電気機器では電源オン総時間パラメータが異なる可能性がある。したがって、目標電子機器電源オン時間の長さに基づいて目標電子機器を特定することができる。例えば、冷蔵庫が平常時に電源オン状態であるため、目標電子機器が常に電源オン状態である場合、目標種別を冷蔵庫と判定できる。
【００９６】
上記実施例から分かるように、異なる目標電子機器では電源オン総時間パラメータが異なる可能性があるため、電源オン総時間パラメータに基づいてスマートコンセントに接続された目標電子機器の目標種別を特定することができ、実現が容易である。
【００９７】
なお、上記各方式を組み合わせてもよい。即ち、いくつかの目標電源オン状態パラメータに基づいてスマートコンセントに接続された目標電子機器の目標種別を認識することで、認識の正確性を向上させることができる。幾つかの組み合わせ方を以下に挙げて説明する。
【００９８】
第１の組み合わせ方では、電力パラメータと、電源オン時間パラメータと、該当電子機器種別との対応関係が予め記録された第３関係表に基づいて、目標電力パラメータと目標電源オン時間パラメータとに対応する目標種別が特定される。
【００９９】
なお、目標電源オン状態パラメータは、目標電力パラメータおよび目標電源オン時間パラメータである。第３関係表に記録されているものは、電力パラメータ、電源オン時間パラメータ、電子機器種別の間の対応関係である。電力パラメータ、電源オン時間パラメータが特定されれば、目標電子機器の目標種別を特定することができる。
【０１００】
上記実施例から分かるように、本実施例では、異なる目標電子機器では電力が異なるという特徴を利用して目標電子機器を認識するだけではなく、異なる目標電子機器では目標電源オン時間パラメータが異なる可能性もあるという特徴を利用して目標電子機器を認識するため、認識の正確性が向上する。特に異なる目標電子機器において目標電力パラメータは同じであるが目標電源オン時間パラメータが異なる場合、または、異なる目標電子機器において目標電源オン時間パラメータは同じであるが目標電力パラメータが異なる場合に、予め設定された第３関係表に基づいて、目標電力パラメータと目標電源オン時間パラメータとに対応する目標種別を特定することができる。
【０１０１】
第２の組み合わせ方では、スマートコンセントに接続された目標電子機器が電源オン状態であるときの目標電力パラメータを所定期間内で取得し、前記目標電力パラメータに基づいて前記目標電子機器の電力安定パラメータを特定する。そして、電力安定パラメータと、目標電源オン時間パラメータと、該当電子機器種別との対応関係が予め記録された第４関係表に基づいて、前記電力安定パラメータと目標電源オン時間パラメータとに対応する目標種別を特定する。
【０１０２】
なお、目標電源オン状態パラメータは、目標電力パラメータおよび目標電源オン時間パラメータである。第４関係表に記録されているものは、電力安定パラメータ、電源オン時間パラメータ、電子機器種別の間の対応関係である。電力安定パラメータおよび電源オン時間パラメータが特定されれば、対応する目標電子機器の目標種別を特定することができる。
【０１０３】
本実施例では、電力安定パラメータおよび電源オン時間パラメータに基づいて、目標電子機器の種別認識を行うため、認識精度がさらに向上する。
【０１０４】
第３の組み合わせ方では、電力パラメータと、電源オン総時間パラメータと、該当電子機器種別との対応関係が予め記録された第５関係表に基づいて、目標電力パラメータと目標電源オン総時間パラメータとに対応する目標種別を特定する。
【０１０５】
なお、目標電源オン状態パラメータは、目標電力パラメータおよび目標電源オン総時間パラメータである。第５関係表に記録されているものは、電力パラメータ、電源オン総時間パラメータ、電子機器種別の間の対応関係である。電力パラメータ、電源オン総時間パラメータが特定されれば、対応する目標種別を特定することができる。
【０１０６】
上記実施例から分かるように、本実施例では、異なる目標電子機器では電力パラメータが異なるという特徴を利用して目標電子機器を認識するだけではなく、異なる目標電子機器では目標電源オン総時間パラメータが異なる可能性もあるという特徴を利用して目標電子機器を認識するため、認識の正確性が向上する。特に異なる目標電子機器において目標電力パラメータは同じであるが目標電源オン総時間パラメータが異なる場合、または、異なる目標電子機器において目標電源オン総時間パラメータは同じであるが目標電力パラメータが異なる場合において、予め設定された第５関係表に基づいて、目標電力パラメータと目標電源オン時間パラメータとに対応する目標種別を特定することができる。
【０１０７】
ステップ１０３に関し、目標種別を出力する形態は、たくさんある。例えば、表示出力あるいは音声出力がある。一方、出力位置がスマートコンセントと一対一の関係を有する場合、目標種別を直接出力してもよい。例えば、スマートコンセントに設けられた出力部品を介して目標種別を出力する。前記出力部品の設置位置は、接続位置に対応し、前記接続位置は、前記スマートコンセントと前記目標電子機器との接続位置である。他方、出力位置とスマートコンセントとの関係が不明である場合、目標種別とスマートコンセントとの対応関係を出力してもよい。
【０１０８】
ある好適な実現形態では、ステップ１０３は、下記のことを含む：
前記目標種別を確認するよう指示するための通知情報を出力し、前記通知情報に対する確認指令および変更指令を検出し、前記確認指令が検出されたことに応答して、前記目標種別を出力し、前記変更指令が検出されたことに応答して、変更後の目標種別を出力する。
【０１０９】
スマートコンセントに接続された目標電子機器の目標種別を自動的に認識する際にエラーが出ることを回避するために、目標種別が正しいか否かを確認するための通知情報を出力してもよい。図１Ｆは、本発明のある実施例によるディスプレイ・インターフェース模式図である。スクリーンから通知ボックスがポップアップし、スマートコンセントに接続された目標電子機器の種別が目標種別であることをユーザへリマインドする。例えば、「当該スマートコンセントに対応する目標電子機器が冷蔵庫」と示し、「確認」ボタンおよび「変更」ボタンを表示する。ユーザは、「確認」ボタンおよび「変更」ボタンにより、情報を確認または変更することができる。当該確認指令または変更指令は、通知情報が表示されたインターフェースにおいて受信される。確認指令に応じて目標種別が出力され、変更指令に応じて変更後の目標種別が出力される。
【０１１０】
本発明では、人・マシン相互作用の形式でスマートコンセントに対応する目標電子機器の目標種別をさらに確認でき、認識の正確性が向上する。また、ステップ１０２における同一のジャックについて複数の目標種別が特定された場合も、複数の目標種別を提供してユーザに選別させることができるため、ユーザが大量の電子機器から目標電子機器種別を特定することによる時間の無駄を省くことができる。
【０１１１】
以下、幾つかの応用例を挙げて説明する。例えば、サーバは、ジャックに差し込まれた目標電子機器が電力３Ｗであり、通常夜間に使用され、且つ電力が安定していると検出した場合、「電球」をユーザへプッシュして確認させる。サーバは、ジャックに差し込まれた目標電子機器が電力１５０Ｗであり、且つ連続して作動していると検出した場合、「冷蔵庫」をユーザへプッシュして確認させる。サーバは、ジャックに差し込まれた電気製品が電力１２００Ｗであり、所定期間内に電力が頻繁に変化すると検出した場合、「エアコン」をユーザへプッシュして確認させる。
【０１１２】
上記スマートコンセントに接続された電子機器の種別を認識する方法の実施例に関連し、本発明は、さらに、スマートコンセントに接続された電子機器の種別を認識する装置およびそれが適用される端末の実施例を提供する。
【０１１３】
図２は、本発明の一実施例におけるスマートコンセントに接続された電子機器の種別を認識する装置を示すブロック図である。前記装置は、パラメータ取得手段２１、種別認識手段２２、および種別出力手段２３を備える。
【０１１４】
ここで、パラメータ取得手段２１は、スマートコンセントに接続された目標電子機器が電源オン状態であるときの目標電源オン状態パラメータを取得するように構成される。
【０１１５】
種別認識手段２２は、前記パラメータ取得手段によって取得された前記目標電源オン状態パラメータに基づいて前記目標電子機器の目標種別を認識するように構成される。
【０１１６】
種別出力手段２３は、前記種別認識手段によって認識された前記目標種別を出力するように構成される。
【０１１７】
この実施例においては、スマートコンセントに接続された目標電子機器が電源オン状態であるときの目標電源オン状態パラメータを取得し、当該目標電源オン状態パラメータに基づいて目標電子機器の目標種別を認識してから、目標種別を出力する。これにより、ユーザは出力された目標種別情報に基づいてスマートコンセントと目標電子機器種別との対応関係を取得でき、当該対応関係に基づいて目標電子機器に接続されたスマートコンセントを制御できる。したがって、目標電子機器とスマートコンセントとの対応関係が不明確であることにより、他の電子機器に対応するコンセントを誤って制御してしまうことを回避できる。
【０１１８】
図３は、本発明のある実施例によるスマートコンセントに接続された電子機器の種別を認識する別の装置を示すブロック図である。当該実施例は、図２に示す実施例に加えて、前記パラメータ取得手段２１がパラメータ取得サブ手段２１１を備える。
【０１１９】
ここで、パラメータ取得サブ手段２１１は、スマートコンセントに接続された目標電子機器が電源オン状態であるときの、目標電力パラメータと、目標電源オン時間パラメータと、目標電源オン総時間パラメータと、電力安定パラメータとのうちの少なくとも１つを取得するように構成される。
【０１２０】
この実施例においては、目標電源オン状態パラメータは、目標電力パラメータ、目標電源オン時間パラメータ、目標電源オン総時間パラメータ、電力安定パラメータのうちの一種または複数種のパラメータであってもよく、異なる目標電源オン状態パラメータに基づいて、スマートコンセントに対応する目標電子機器の目標種別を自動的に認識することができる。また、複数のパラメータを組み合わせて認識を行う際に、認識の正確性が向上する。
【０１２１】
図４は、本発明のある実施例によるスマートコンセントに接続された電子機器の種別を認識する別の装置を示すブロック図である。当該実施例は、図３に示す実施例に加えて、前記パラメータ取得サブ手段２１１が電力パラメータ取得モジュール２１１１および安定パラメータ特定モジュール２１１２を備える。
【０１２２】
ここで、電力パラメータ取得モジュール２１１１は、スマートコンセントに接続された目標電子機器が電源オン状態であるときの目標電力パラメータを所定期間内で取得するように構成される。
【０１２３】
安定パラメータ特定モジュール２１１２は、前記電力パラメータ取得モジュールによって取得された前記目標電力パラメータに基づいて、前記目標電子機器の電力安定パラメータを特定するように構成される。
【０１２４】
この実施例においては、スマートコンセントに接続された目標電子機器が電源オン状態であるときの目標電力パラメータを所定期間内で取得し、当該目標電力パラメータに基づいて目標電子機器の電力安定パラメータを特定できるため、実現が容易である。
【０１２５】
図５は、本発明のある実施例によるスマートコンセントに接続された電子機器の種別を認識する別の装置を示すブロック図である。当該実施例は、図２に示す実施例に加えて、前記種別認識手段２２が目標種別認識サブ手段２２１を備える。
【０１２６】
ここで、目標種別認識サブ手段２２１は、電源オン状態パラメータと該当する電子機器の種別との対応関係が予め記録された目標対応関係表に基づいて、前記パラメータ取得手段によって取得された前記目標電源オン状態パラメータに対応する目標種別を特定するように構成される。
【０１２７】
この実施例においては、予め設定された電源オン状態パラメータと該当電子機器種別との対応関係に基づいて、目標電源オン状態パラメータに対応する目標種別を特定できるため、実現が容易である。
【０１２８】
図６は、本発明のある実施例によるスマートコンセントに接続された電子機器の種別を認識する別の装置を示すブロック図である。当該実施例は、図２に示す実施例に加えて、前記種別出力手段２３が情報出力サブ手段２３１、指令検出サブ手段２３２および第１種別出力サブ手段２３３を備える。
【０１２９】
ここで、情報出力サブ手段２３１は、前記種別認識手段によって認識された前記目標種別を確認するよう指示するための通知情報を出力するように構成される。
【０１３０】
指令検出サブ手段２３２は、前記情報出力サブ手段から出力された前記通知情報に対する確認指令および変更指令を検出するように構成される。
【０１３１】
第１種別出力サブ手段２３３は、前記確認指令が検出されたとき、前記目標種別を出力し、前記変更指令が検出されたとき、変更後の目標種別を出力するように構成される。
【０１３２】
この実施例においては、人・マシン相互作用の形式でスマートコンセントに対応する目標電子機器の目標種別をさらに確認でき、認識の正確性が向上し、目標種別を自動的に認識する際にエラーが出現する状況を回避できる。
【０１３３】
図７は、本発明のある実施例によるスマートコンセントに接続された電子機器の種別を認識する別の装置を示すブロック図である。当該実施例は、図２に示す実施例に加えて、前記種別出力手段２３が第２種別出力サブ手段２３４を備える。
【０１３４】
ここで、第２種別出力サブ手段２３４は、スマートコンセントに設けられた出力部品を介して、前記種別認識手段によって認識された前記目標種別を出力するように構成される。前記出力部品の設置位置は、接続位置に対応し、前記接続位置は、前記スマートコンセントと前記目標電子機器との接続位置である。
【０１３５】
この実施例においては、出力部品の設置位置が接続位置と一対一で対応するため、スマートコンセントの出力部品を介して目標種別を出力することで、目標種別とスマートコンセントのジャックとの対応関係を明確に示すことができる。これにより、ユーザはスマートコンセントをより容易に操作することができる。
【０１３６】
図８は、本発明のある実施例によるスマートコンセントに接続された電子機器の種別を認識する別の装置を示すブロック図である。当該実施例は、図２に示す実施例に加えて、前記種別出力手段２３が第３種別出力サブ手段２３５を備える。
【０１３７】
ここで、第３種別出力サブ手段２３５は、スマート端末を介して、前記種別認識手段によって認識された前記目標種別を出力するように構成され、前記スマート端末は、前記スマートコンセントの制御端末である。
【０１３８】
図９は、本発明のある実施例によるスマートコンセントに接続された電子機器の種別を認識する別の装置を示すブロック図である。当該実施例は、図８に示す実施例に加えて、前記第３種別出力サブ手段２３５が対応関係出力モジュール２３５１を備える。
【０１３９】
ここで、対応関係出力モジュール２３５１は、前記目標種別と前記スマートコンセントとの対応関係を出力するようにスマート端末を制御するように構成される。
【０１４０】
この実施例においては、スマート端末が目標種別とスマートコンセントとの対応関係を出力することで、目標種別とスマートコンセントのジャックとの対応関係を明確に示すことができる。これにより、ユーザはスマート端末を介してスマートコンセントをより容易に制御することができる。
【０１４１】
図１０は、本発明のある実施例によるスマートコンセントに接続された電子機器の種別を認識する別の装置を示すブロック図である。当該実施例は、図９に示す実施例に加えて、前記対応関係出力モジュール２３５１が、下記サブモジュールを少なくとも１つ含んでもよい。例示を明確化させるために、図１０では、当該対応関係出力モジュール２３５１が含み得る全てのサブモジュールを示す。つまり、第１出力サブモジュール２３５１１、第２出力サブモジュール２３５１２および第３出力サブモジュール２３５１３である。
【０１４２】
ここで、第１出力サブモジュール２３５１１は、スマートコンセントでの電子機器の位置順に応じて前記目標種別を出力するようにスマート端末を制御するように構成される。
【０１４３】
第２出力サブモジュール２３５１２は、仮想コンセント画像の該当位置において前記目標種別を出力するようにスマート端末を制御するように構成され、前記仮想コンセント画像は、前記スマート端末が前記スマートコンセントに基づいて仮想化した画像である。
【０１４４】
第３出力サブモジュール２３５１３は、前記スマートコンセントに対応する名称の位置において前記目標種別を出力するようにスマート端末を制御するように構成される。
【０１４５】
この実施例によれば、本発明では、スマート端末がスマートコンセントでの電子機器の位置順に応じて目標種別を出力し、ジャックと目標種別との対応関係を取得できる。ユーザは、対応関係に基づいて目標電子機器に接続されたスマートコンセントを制御でき、１つのマルチタップに複数の目標電子機器を接続する際に目標電子機器のプラグが区別できないという事態を回避できる。本発明では、スマート端末が仮想コンセント画像の該当位置において目標種別を出力可能であり、目標種別とスマートコンセントのジャックとの対応関係を明確に示すことができ、ユーザはスマート端末を介してスマートコンセントをより容易に制御することができる。本発明では、スマートコンセントに接続された目標電子機器の種別を認識した後、スマート端末がスマートコンセントに対応する名称の位置において目標種別を自動的に出力することで、スマートコンセントに対するネーミングを実現させ、ネーミング効率が向上するとともに、ユーザは名称に応じて異なるスマートコンセントに接続された異なる電子機器を容易に区別できる。
【０１４６】
同様に、本発明は、スマートコンセントに接続された電子機器の種別を認識する装置をさらに提供する。当該装置は、プロセッサと、プロセッサの実行可能な指令を記憶するためのメモリとを備える。ここで、前記プロセッサは、
スマートコンセントに接続された目標電子機器が電源オン状態であるときの目標電源オン状態パラメータを取得し、
前記目標電源オン状態パラメータに基づいて前記目標電子機器の目標種別を認識し、
前記目標種別を出力するように構成される。
【０１４７】
上記装置における各モジュールの機能および作用の実現手順の詳細は、上記方法における対応するステップの実現手順を参照すればよいため、ここでは詳細な説明は省略する。
【０１４８】
装置実施例は基本的に方法実施例に対応するため、関連箇所は、方法実施例部分の説明を参照すればよい。以上に記載の装置実施例は、単なる模式的なものに過ぎない。各手段は、物理的に離間してもよいし、しなくてもよい。手段として表示された部品は、物理手段であってもよいし、そうでなくてもよい。即ち、１箇所に位置してもよいし、複数のネットワークセルに分散してもよい。実際の必要に応じて、その中の一部または全部のモジュールを選択して本発明の目的を達成してもよい。当業者であれば、進歩性に値する労働をせずに、かかる事項を理解し実施できる。
【０１４９】
図１１は、ある実施例によるスマートコンセントに接続された電子機器の種別を認識する装置１１００を示すブロック図である。装置１１００は、例えば、サーバとして提供されてもよい。図１１を参照すると、装置１１００は、処理ユニット１１２２を含み、さらに１つまたは複数のプロセッサ、およびメモリ１１３２に代表されるメモリ資源を含む。当該メモリ資源は、処理ユニット１１２２の実行可能な指令、例えばアプリケーションプログラムを記憶する。メモリ１１３２に記憶されたアプリケーションプログラムは、１セットの指令に対応する各モジュールを１つまたは複数含んでもよい。また、処理ユニット１１２２は、指令を実行することで、上記スマートコンセントに接続された電子機器の種別を認識する方法を実行するように構成される。
【０１５０】
装置１１００は、さらに、装置１１００の電源管理を実行するように構成される電源ユニット１１２６と、装置１１００をネットワークに接続するように構成される有線あるいは無線ネットワークインターフェース１１５０と、入力／出力（Ｉ／Ｏ）インターフェース１１５８とを備えてもよい。装置１１００は、メモリ１１３２に記憶されたオペレーティングシステム、例えば、Ｗｉｎｄｏｗｓ（登録商標） Ｓｅｒｖｅｒ、Ｍａｃ ＯＳ Ｘ（登録商標）、Ｕｎｉｘ（登録商標）、Ｌｉｎｕｘ（登録商標）、ＦｒｅｅＢＳＤ（登録商標）などを操作することができる。
【０１５１】
図１２は、本発明のある実施例によるスマートコンセントに接続された電子機器の種別を認識する装置１２００を示す別のブロック図である。装置１２００は、例えば、ルーティング機能を有する携帯電話、コンピュータ、デジタル放送端末、メッセージ送受信機器、ゲームコンソール、タブレットデバイス、医療設備、フィットネス機器、ＰＤＡなどであってもよい。
【０１５２】
図１２を参照すると、装置１２００は、処理ユニット１２０２、メモリ１２０４、電源ユニット１２０６、マルチメディアユニット１２０８、オーディオユニット１２１０、入力／出力（Ｉ／Ｏ）インターフェース１２１２、センサユニット１２１４、および、通信ユニット１２１６のうちの１つまたは複数を含んでもよい。
【０１５３】
処理ユニット１２０２は、通常は、表示、通話、データ通信、カメラ操作および記録操作に関連する操作のような、装置１２００の全般操作を制御する。処理ユニット１２０２は、上記方法の全部または一部のステップを実施させるように、指令を実行するための１つまたは複数のプロセッサ１２２０を含んでもよい。また、処理ユニット１２０２は、処理ユニット１２０２と他のユニットとの間の相互作用を容易にするように、１つまたは複数のモジュールを含んでもよい。処理ユニット１２０２は、例えば、マルチメディアユニット１２０８と処理ユニット１２０２との間の相互作用を容易にするように、マルチメディアモジュールを含んでもよい。
【０１５４】
メモリ１２０４は、各タイプのデータを記憶して装置１２００での操作をサポートするように構成される。これらのデータの例示は、装置１２００で操作するための任意のアプリケーションもしくは方法の指令、連絡先データ、電話帳データ、メッセージ、ピクチャ、ビデオなどを含む。メモリ１２０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１５５】
電源ユニット１２０６は、装置１２００のユニットのそれぞれに電力を供給する。電源ユニット１２０６は、電源管理システム、１つまたは複数の電源、並びに、装置１２００用の電力を生成、管理および配分するために他のユニットを含んでもよい。
【０１５６】
マルチメディアユニット１２０８は、前記装置１２００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する継続時間および圧力をさらに検出することができる。一部の実施例では、マルチメディアユニット１２０８は、１つのフロントカメラおよび/またはバックカメラを含む。装置１２００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定光学レンズシステムであってもよいし、焦点距離および光学ズーム能力を有するものであってもよい。
【０１５７】
オーディオユニット１２１０は、オーディオ信号を出力および/または入力するように構成される。例えば、オーディオユニット１２１０は、マイク（ＭＩＣ）を備え、装置１２００が操作モード、例えば、音響出力モード、記録モードおよび音声識別モードであるとき、マイクは、外部オーディオ信号を受信するように構成される。受信されたオーディオ信号は、さらに、メモリ１２０４に格納される、または、通信ユニット１２１６を介して送信されることができる。一部の実施例では、オーディオユニット１２１０は、オーディオ信号を出力するためのスピーカをさらに備える。
【０１５８】
Ｉ/Ｏインターフェース１２１２は、処理ユニット１２０２と周辺インターフェースモジュールとの間でインターフェースを供給するものであり、上記周辺インターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１５９】
センサユニット１２１４は、様々な側面での状態推定を装置１２００に供給するための１つまたは複数のセンサを含む。例えば、センサユニット１２１４は、装置１２００のオン/オフ状態、ユニットの相対位置を検出することができ、ユニットは、例えば、装置１２００のディスプレイおよびキーパッドである。センサユニット１２１４は、さらに、装置１２００もしくは装置１２００の１つのユニットの位置変更、ユーザと装置１２００との接触の有無、装置１２００の方位もしくは加速/減速および装置１２００の温度変化をさらに検出することができる。センサユニット１２１４は、如何なる物理的接触もないとき、近辺にある物体の存在を検出するための近接センサを含んでもよい。センサユニット１２１４は、さらに、イメージングアプリケーションに使用される光センサ、例えばＣＭＯＳまたはＣＣＤ画像センサを含んでもよい。一部の実施例では、当該センサユニット１２１４は、さらに、加速度センサ、ジャイロセンサ、磁気センサ、圧力センサ、マイクロ波センサまたは温度センサを含んでもよい。
【０１６０】
通信ユニット１２１６は、装置１２００と他の機器間の無線または有線方式の通信ができるように構成される。装置１２００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、通信ユニット１２１６は、さらに、短距離通信を容易にするように、ニアフィールド通信（ＮＦＣ）モジュールを含む。ＮＦＣモジュールは、例えば、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１６１】
実施例では、装置１２００は、上記方法を実行するための１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１６２】
実施例では、指令を含む非一時的コンピュータ読み取り可能な記憶媒体、例えば、指令を含むメモリ１２０４をさらに提供し、上記指令が装置１２００のプロセッサ１２２０によって実行されることで上記方法を実施させることができる。前記非一時的コンピュータ読み取り可能な記憶媒体は、例えば、ＲＯＭ、ランダムアクセスメモリ（ＲＡＭ）、ＣＤ-ＲＯＭ、磁気テープ、フロッピーディスクおよび光データ記憶機器などであってもよい。
【０１６３】
実施例では、非一時的コンピュータ読み取り可能な記憶媒体を提供する。前記記憶媒体における指令が端末のプロセッサによって実行されるとき、端末は、スマートコンセントに接続された電子機器の種別を認識する方法を実行可能である。前記方法は、
スマートコンセントに接続された目標電子機器が電源オン状態であるときの目標電源オン状態パラメータを取得するステップと、
前記目標電源オン状態パラメータに基づいて前記目標電子機器の目標種別を認識するステップと、
前記目標種別を出力するステップとを含む。
【０１６４】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１６５】
本発明は上記に記載され、且つ図面に示された構造に限定されるものでなく、その要旨を逸脱しない範囲で様々な補正や変更も可能であることは言うまでもない。本発明の範囲は、添付する特許請求の範囲のみによって限定される。
【０１６６】
上述したのは、単に本発明の好適な実施例に過ぎず、本発明を制限するためのものではない。本発明の精神および要旨の範囲内でなされた如何なる補正、均等置換、改良等も、何れも本発明の保護範囲内に収まる。
【図１Ａ】
2018501670.tif 000003
【図１Ｂ】
2018501670.tif 000004
【図１Ｃ】
2018501670.tif 000005
【図１Ｄ】
2018501670.tif 000006
【図１Ｅ】
2018501670.tif 000007
【図１Ｆ】
2018501670.tif 000008
【図２】
2018501670.tif 000009
【図３】
2018501670.tif 000010
【図４】
2018501670.tif 000011
【図５】
2018501670.tif 000012
【図６】
2018501670.tif 000013
【図７】
2018501670.tif 000014
【図８】
2018501670.tif 000015
【図９】
2018501670.tif 000016
【図１０】
2018501670.tif 000017
【図１１】
2018501670.tif 000018
【図１２】
2018501670.tif 000019
【国際調査報告】
2018501670.tif 000020
2018501670.tif 000021
2018501670.tif 000022
2018501670.tif 000023